(57)【要約】【課題】穴または凹を設けることなく、組立容易なレール取付装置を実現することを目的にする。【解決手段】本発明は、電気機器をレールに取り付けるレール取付装置に改良を加えたものである。本装置は、レールが嵌められ、一方の側面にレールを引っ掛ける固定フックが設けられるレール溝と、このレール溝の他方の側面に垂直に設けられ、両側面に保持溝を有し、正面にストッパが設けられるフック溝と、概略コ字形に形成され、両側面にフック溝の保持溝に挿入するガイド部、両内面に溝を有するスライダと、このスライダのコ字形の開放部に挿入され、板バネ部が少なくとも１つの円弧状に形成されると共に、ストッパに規制され、スライダの溝に嵌め合わされる突起部が板バネ部の側面に設けられ、レールを固定するフック部を有する可動フック部材とを備えたことを特徴とする装置である。【選択図】        図１
2004260021.tif 000002
【特許請求の範囲】
【請求項１】
電気機器をレールに取り付けるレール取付装置において、
前記レールが嵌められ、一方の側面にレールを引っ掛ける固定フックが設けられるレール溝と、
このレール溝の他方の側面に垂直に設けられ、両側面に保持溝を有し、正面にストッパが設けられるフック溝と、
概略コ字形に形成され、両側面に前記フック溝の保持溝に挿入するガイド部、両内面に溝を有するスライダと、
このスライダのコ字形の開放部に挿入され、板バネ部が少なくとも１つの円弧状に形成されると共に、前記ストッパに規制され、スライダの溝に嵌め合わされる突起部が板バネ部の側面に設けられ、前記レールを固定するフック部を有する可動フック部材と
を備えたことを特徴とするレール取付装置。
【請求項２】
可動フック部材のバネ部が並列の円弧形状からなることを特徴とする請求項１記載のレール取付装置。
【発明の詳細な説明】
【０００１】
【発明の属する技術分野】
本発明は、例えば、シーケンサや電力モニタ等に用いられる電気機器をレールに取り付けるレール取付装置に関し、穴を設けることなく、組立容易なレール取付装置に関するものである。
【０００２】
【従来の技術】
例えば、シーケンサや電力モニタ等の電気機器は、ＤＩＮレールに取り付けられて使用されている。このときに用いられるレール取付装置は、例えば、特許文献１，２に記載されている。このような装置は、筐体に穴や保持溝を設け、可動するフックの突起部を挿入することにより、筐体にフックを取り付けている。そして、ＤＩＮレールに取り付ける際、可動フックのバネ部が変形して、ＤＩＮレールに電気機器を取り付けている。
【０００３】
このような装置では、電気機器に穴を設けているので、開口部より塵埃が入り、回路を短絡する恐れがある。また、電気機器が高電圧を扱う場合、電気が外部にとぶ可能性があり、安全対策のため、穴があることは好ましくない。また、貫通孔でなくとも、穴の位置の筐体の厚みを確保する必要があり、取付装置全体が厚みを必要としてしまう。
【０００４】
また、レール取付装置の組立時に、穴に突起部を挿入するとき、バネ部の変形方向がＤＩＮレール取付時と異なるので、組立が容易に行えないという問題点があった。
【０００５】
【特許文献１】
特開平６−３１８７９３号公報
【特許文献２】
特開平１０−１６３６４４号公報
【０００６】
【発明が解決しようとする課題】
そこで、本発明の目的は、穴または凹を設けることなく、組立容易なレール取付装置を実現することにある。
【０００７】
【課題を解決するための手段】
請求項１記載の本発明は、
電気機器をレールに取り付けるレール取付装置において、
前記レールが嵌められ、一方の側面にレールを引っ掛ける固定フックが設けられるレール溝と、
このレール溝の他方の側面に垂直に設けられ、両側面に保持溝を有し、正面にストッパが設けられるフック溝と、
概略コ字形に形成され、両側面に前記フック溝の保持溝に挿入するガイド部、両内面に溝を有するスライダと、
このスライダのコ字形の開放部に挿入され、板バネ部が少なくとも１つの円弧状に形成されると共に、前記ストッパに規制され、スライダの溝に嵌め合わされる突起部が板バネ部の側面に設けられ、前記レールを固定するフック部を有する可動フック部材と
を備えたことを特徴とするものである。
請求項２記載の本発明は、請求項１記載の本発明において、
可動フック部材のバネ部が並列の円弧形状からなることを特徴とするものである。
【０００８】
【発明の実施の形態】
以下図面を用いて本発明の実施の形態を説明する。図１は本発明の一実施例を示した構成斜視図である。
【０００９】
図１において、電気機器本体１は、樹脂で形成され、図示しないＤＩＮレールに嵌められるレール溝２が設けられる。レール溝２は、一方の側面にＤＩＮレールに引っ掛ける固定フック２１を設け、ＤＩＮレールを規制する突起部２２を有する。フック溝３は、レール溝２の他方の側面に垂直に設けられ、両側面に保持溝３１を有し、正面にストッパ３２，３３が設けられる。ストッパ３２は概略長方形状で形成され、ストッパ３３は円状に形成される。
【００１０】
スライダ４は、概略コ字形に樹脂で形成され、両側面にフック溝３の保持溝３１に挿入するガイド部４１、両内面に溝４２，４３を有し、前面側の上面に引掛穴４４を有する。引掛穴４４は例えばマイナスドライバが挿入され、スライダ４をスライドさせるときに用いられる。可動フック部材５は、樹脂で形成され、スライダ４のコ字形の開放部に挿入され、板バネ部５１とフック部５２とからなる。板バネ部５１は、並列の円弧状に形成され、スライダ４の溝４２に嵌め合わされる突起部５１１が側面に設けられると共にストッパ３２に規制される。フック部５２は、先端が傾斜していると共に、側面に溝４３に挿入される突起部５２１を有し、ＤＩＮレールを固定する。
【００１１】
このような装置の組立動作を以下で説明する。図２は図１に示す装置の組立図である。矢印ａに示すように、可動フック部材５の板バネ部５１の空間にストッパ３３を挿入し、ストッパ３２の方向に押す。そして、矢印ｂに示すように、スライダ４のガイド部４１を保持部３１に嵌めて、挿入する。この結果、可動フック部材５の板バネ部５１の側面が変形し、突起部５１１，５２１がそれぞれ溝部４２，４３に嵌め合わされる。これにより、スライダ４と可動部材５は一体になり、図２に示すように構成される。
【００１２】
次に、ＤＩＮレール１００への取り付け動作を説明する。固定フック２１をＤＩＮレール１００に引掛け、電気機器本体１をＤＩＮレール１００側に押すと、フック部５２の斜面に接触し、矢印ｃ方向に可動フック部材５、スライダ４が押される。これにより、板バネ５１がストッパ３２にあたり変形する。そして、フック部５２とレール溝２との隙間にＤＩＮレール１００が嵌ると、板バネ部５１の復元力によりもとの状態にもどり、ＤＩＮレール１００を固定することができる。
【００１３】
取り外し動作は、スライダ４を矢印ｃの方向に引掛穴４４を用いて引っ張り、溝４２、突起部５１１を介して、可動フック部材５が引っ張られ、板バネ部５１が変形する。これにより、ＤＩＮレール１００から電気機器本体１が外れる。そして、スライダ４を引っ張ることを止めると、板バネ部５１の復元力により、スライダ４、可動フック部材５はもとに戻る。
【００１４】
このように、フック溝３にストッパ３２を設け、スライダ４と可動フック部材５とを板バネ部５１の弾性を有する変形方向を利用して組み立てるので、穴を設ける必要がなく、組立を容易に行える。
【００１５】
また、電気機器本体１に穴を設ける必要がないので、取付装置を薄くつくることができる。
【００１６】
また、従来のように、バネ部に電気機器本体の穴に挿入する突起部（固定点）を設ける必要がないので、バネ部の強度を確保する必要がない。つまり、板バネ部５１が硬く形成する必要がなく、適度な弾性をもたせることができ、ＤＩＮレール１００への取り付け、取り外しを容易に行うことができる。
【００１７】
また、板バネ部５１を円弧状に形成し、ストッパ３２にあたることにより変形するので、板バネの動作を制限する固定点（突起部）がなく、板バネ部５１には自由度があり、円弧部分各所に力が分散するので、バネの破壊を防止することができる。
【００１８】
なお、本発明はこれに限定されるものではなく、フック部５２の動作を規制するストッパ３３を設ける構成を示したが、ストッパ３３を設けない構成でもよい。また、溝４３と突起部５２１を設けない構成でもよい。また、板バネ部５１は、並列の２つの円弧状に形成したが、１つの円弧状や３以上の円弧状に形成してもよい。また、電気機器本体１と一体型の取付装置を示したが分離型でもよい。
【００１９】
【発明の効果】
本発明によれば、フック溝にストッパを設け、スライダと可動フック部材とを板バネ部の弾性を有する変形方向を利用して組み立てるので、穴を設ける必要がなく、組立を容易に行える。
【００２０】
また、穴を設ける必要がないので、取付装置を薄くつくることができる。
【００２１】
また、板バネ部５１が硬く形成する必要がなく、適度な弾性をもたせることができ、レールへの取り付け、取り外しを容易に行うことができる。
【００２２】
また、板バネ部を円弧状に形成し、ストッパにあたることにより変形するので、板バネ部には自由度があり、円弧部分各所に力が分散するので、バネの破壊を防止することができる。
【図面の簡単な説明】
【図１】本発明の一実施例を示した構成斜視図である。
【図２】図１に示す装置の組立図である。
【符号の説明】
１  電気機器本体
２  レール溝
２１  固定フック
３  フック溝
３１  保持溝
３２  ストッパ
４  スライダ
４１  ガイド部
４２  溝
５  可動フック部
５１  板バネ部
５２  フック部
５１１  突起部
【図１】
2004260021.tif 000003
【図２】
2004260021.tif 000004